(57)【特許請求の範囲】
【請求項１】
少なくともベースフィルム層とシーラント層とを具える積層フィルムを、該シーラント層が相互に対向するように幅方向に折返した姿勢として側縁どうしを縦方向にヒートシールすると共に、上端と下端とを横方向にヒートシールしてなる包装袋であって、
上側の横シール部の、縦ヒートシールが施されていない、いずれか一方の折返し辺側縁部に、被包装物収納スペースに連通する狭幅の注出通路を設けると共に、その上側横シール部の上端辺から前記注出通路の側端辺部に向かって、弧状または直線状の引裂き誘導疵を、その横シール部だけに形成し、この引裂き誘導疵の始端と、上側横シール部の上端とのクリアランスを０．３〜１．０ｍｍの範囲とするとともに、引裂き誘導疵の終端と、注出通路の側端辺部とのクリアランスを０．３〜５．０ｍｍの範囲としてなることを特徴とする液体包装袋。
【請求項２】
前記注出通路が設けられる、ヒートシールが施されていない側縁部は、三方シール袋、中央合掌シール袋または背貼りシール袋の折返し幅方向側端部であることを特徴とする請求項１に記載の液体包装袋。
【請求項３】
前記弧状に延びる引裂き誘導疵に沿う引裂きによって開口される注出通路の液体注出口が、上端横シール部内で、包装袋の前記横シール部上端縁と平行または、上向きに湾曲したのちに注出通路の引裂き注出口となるように形成されていることを特徴とする請求項１または２に記載の液体包装袋。
【発明の詳細な説明】
【技術分野】
【０００１】
この発明は、液状、ゼリー状等の飲食物、調味料その他各種の液状ないし粘稠状の飲食物、医薬品、化粧品等の流動性物質を充填包装してなる液体包装袋に関するものである。とくには、包装袋の開封が容易であると共に、開封状態が良好で、被包装物の液だれの発生や不測の漏れをも十分に阻止することができる液体包装袋を提案するものである。
【背景技術】
【０００２】
従来、ベースフィルム層とシーラント層とを具え、液状ないしは粘稠状の被包装物を充填包装する液体包装袋は、図１に示すように、たとえば二軸延伸したエチレンービニルアルコール共重合体樹脂フィルムからなるベースフィルム層と、無延伸のエチレン−ビニルアセテート共重合体樹脂からなるシーラント層との積層フィルムを、自動充填製袋機によって、シーラント層が互いに向かい合わせになるように幅方向の中央部位置にて二つ折りにした後、三方シールを施すことにより形成される。
【０００３】
そして、液体包装袋からの被包装物の取り出しは、図に示すところでは、液体包装袋２０の縦シール部分２１に設けたＩノッチ２２から、その包装袋２０の引裂きを開始して、それによる袋の裂け目を、少なくとも、被包装物の収納スペース２３の一部として機能する、注出通路２４を過ぎる位置まで進行させた状態にて、より好ましくは、その裂け目を、包装袋２０を完全に横切る位置まで進行させた状態にて包装袋２０を開封し、次いで、被包装物収納スペース２３を押圧して、注出通路２４を広く開口させて、被包装物を流出させることにより行われる。
なお、一般に、Ｉノッチ２２は、縦シール部分２１に設けられるため、注出通路２４も縦シール部分２１側に形成される。
【０００４】
しかし、上記従来の液体包装袋２０では、それ自体が軟質であるため、被包装物の注出の際に包装袋２０が意図しない変形をして被包装物がこぼれ出すおそれがあった。
また、注出通路２４は、横シール部分２５と縦シール部分２１によって区画形成されていて、注出通路２４を形成する表裏のフィルム部分は、それらのシール部分２１、２５によって平坦形状に拘束されることになるため、その注出通路２４には、横シール部分２５と縦シール部分２１との拘束によって平坦に重なり合おうとする力が作用して引裂き開口を閉じようとする傾向にあるため、従来の液体包装袋２０では、注出通路２４のフィルム同士が密着して、被包装物を注出し難い一方で、収納スペース２３を押さえると、被包装物が勢いよく流出して、飛散して手や衣類が汚れてしまうという問題点があった。
【０００５】
さらに、被包装物は、注出通路２４から、縦シール部分２１を超えて注出されることになるため、被包装物の注出時や、注出後に液体包装袋２０を直立姿勢に戻す際に、被包装物が縦シール部分２１を伝わり、液だれが発生し易いという点に問題があった。
【０００６】
また、縦シール部分２１に形成したＩノッチ２２と、注出通路２４までの距離が短いため、液体包装袋２０の取り扱い中に、それが破断してしてしまい、被包装物が不測に漏れ出すこともあった。
【発明の開示】
【発明が解決しようとする課題】
【０００７】
そこで、この発明は、従来技術が抱えるこのような問題点を解決することを課題とするものであり、それの目的とするところは、開封が容易であると共に、開封状態が良好で、被包装物の注出の際の液だれや飛散を防止できる液体包装袋を提案することにある。
【課題を解決するための手段】
【０００８】
本発明は、少なくともベースフィルム層とシーラント層とを具える積層フィルムを、該シーラント層が相互に対向するように幅方向に折返した姿勢として側縁どうしを縦方向にヒートシールすると共に、上端と下端とを横方向にヒートシールしてなる包装袋であって、上側の横シール部の、縦ヒートシールが施されていない、いずれか一方の折返し辺側縁部に、被包装物収納スペースに連通する狭幅の注出通路を設けると共に、その上側横シール部の上端辺から前記注出通路の側端辺部に向かって、弧状または直線状の引裂き誘導疵を、その横シール部だけに形成し、この引裂き誘導疵の始端と、上側横シール部の上端とのクリアランスを０．３〜１．０ｍｍの範囲とするとともに、引裂き誘導疵の終端と、注出通路の側端辺部とのクリアランスを０．３〜５．０ｍｍの範囲としてなる液体包装袋を提供するものである。
【０００９】
なお、本発明においては、前記注出通路が設けられる、ヒートシールが施されていない側縁部は、三方シール袋、中央合掌シール袋または背貼りシール袋の折返し幅方向側端部であること、前記弧状に延びる引裂き誘導疵に沿う引裂きによって開口する注出通路の液体注出口が、包装袋の前記横シール部上端縁と平行または、上向きに湾曲したのちに注出通路の引裂き注出口となるように形成されていること、前記液体注出口の、ほぼ幅方向での寸法が0.3〜50mmであること、前記引裂き誘導疵の終端と前記注出通路の側端辺部とのクリアランスが、0.3〜5.0mmであること、前記引裂き誘導疵の始端と前記上側横シール部上端とのクリアランスが、0.3〜1.0mmであること、前記引裂き誘導疵の始端側に、該誘導疵を隔てて位置し、前記上側横シール部の表裏いずれか一方へ突出する、少なくとも一対以上の突部を設けたこと、前記上側横シール部の上端の、前記引裂き誘導疵を隔てた位置に、一対のローレットシール部を設けたこと、前記ベースフィルム層とシーラント層との間に、SiO2蒸着層、塩化ビニリデンコーティング層、酸化アルミニウムコーティング層、Al蒸着層あるいはSiO2やAl、Al2O3などのスパッタリング層からなる中間層を設けること、前記ベースフィルム層が、エチレンビニルアルコール共重合体、ポリオレフィン、ポリエステル、ポリアミド、ポリイミドもしくは塩化ビニリデンなどの樹脂フィルムからなること、および前記シーラント層が、ポリエチレン層またはポリプロピレン層からなることが好ましい。
【発明の効果】
【００１０】
この発明の液体包装袋によれば、被包装物の注出通路が、ヒートシールが施されていない積層フィルムの基端部側に設けられているため、注出口部分は、圧力を加えなくても、積層フィルムの復元力によって常にストロー状（楕円状）に開口した状態にあり、被包装物の注出量が、その収納スペースの押圧によってコントロールでき、しかも注出通路が注出口に向かって次第に狭幅となっているため、被包装物が注出通路に沿って一定方向に注出されることになり、注出時に被包装物が飛散することがない。また、被包装物の液引きが良く、さらに注出時に液だれが発生するおそれがない。
また、液体包装袋の引裂き誘導疵が、包装袋の上側横シールに設けられ、その始端が注出口部分から離隔して形成され、しかもその引裂き誘導疵の始端と上側横シール上端とに0.3〜1.0mmのクリアランスが設けられていることにより、包装袋の取り扱い中に、それが破断して被包装物が不測に漏れ出すということがない。
【発明を実施するための最良の形態】
【００１１】
以下に、この発明の実施の形態を図面を用いて説明する。図２は、この発明に係る液体包装袋を構成する積層フィルムの一例を示す概略断面図である。積層フィルム１は、ベースフィルム層２とシーラント層３からなり、必要に応じて、ベースフィルム層２とシーラント層３の間に中間層４を設けても良い。なお、この積層フィルム１は、ベースフィルム層２、シーラント層３および中間層４を、たとえば押出しラミネートまたはドライラミネートにより積層して形成する。
【００１２】
上記ベースフィルム層２としては、一軸もしくは二軸延伸のエチレンビニルアルコール共重合体、ポリオレフィン、ポリエステル、ポリアミド、ポリイミドもしくは塩化ビニリデン等の合成樹脂フィルムから構成されることが好ましく、これらは優れた水蒸気不透過性および、高いガスバリア性を発揮することができる。
【００１３】
なかでも、二軸延伸ポリエチレンテレフタレートフィルム層は、直線カット性ポリエステルフィルムである「エンブレットＰＣ」（商標ユニチカ株式会社）を用いることが、また、二軸延伸ナイロンフィルム層とするときは、直線カット性ナイロンフィルムである「エンブレムＮＣ」（商標ユニチカ株式会社）を用いることが、以下の理由により好適である。
すなわち、これらによれば、一軸延伸ベースフィルム層を用いる場合に比してより高い水蒸気不透過性、ガスバリア性等を付与することができる他、引裂き開封部分の、手指による、直線的な引裂き除去を円滑かつ容易にし、しかも、引裂き開口を、毛羽立ち等のない十分平滑なものとすることができる。
【００１４】
また、シーラント層３として、ポリエチレン層またはポリプロピレン層を用いれば、比較的低い温度のヒートシール温度で優れたシール強度を発揮することができる。
【００１５】
また、中間層４は、包装袋として必要とする性質、たとえば水蒸気不透過性やガスバリア性、腰度などを向上させるために適宜、積層させることが好ましく、SiO2蒸着層、塩化ビニリデンコーティング層、酸化アルミニウムコーティング層、Al蒸着層あるいはSiO2やAl、Al2O3などのスパッタリング層などが好適である。
【００１６】
図３に示すところでは、上記構成からなる積層フィルム１を、シーラント層３が相互に対向するように幅方向で二つ折りした後、折返し辺側端部である基端辺を除く各辺部分を三方シールして液体包装袋５を形成する。このようにして形成した本発明の液体包装袋の一の実施形態として、引裂き誘導疵１０を、上側横シール部６内だけに曲線状に形成したものを図３に示す。
図中斜線を施した部分は、包装袋のヒートシール部分を示す。
なお、本発明の液体包装袋は、図３の三方シール形態の包装袋の他、中央合掌シール形の包装袋や背貼りシール形の包装袋などヒートシールを施されることのない、折返し辺を有する包装袋に適用することができる。
【００１７】
上側横シール部６は、その包装袋基端辺７側の側端下部に、三角形状の非シール部分を有し、この非シール部分が液体注出通路８として、被包装物の収納スペース１２と連通されている。
なお、液体注出通路８は、三角形状に限定されるものではなく、後述の方法によって形成される液体注出口１１に向かって次第に狭幅となる形状であることが好ましい。これは、注出通路８が、液体注出口１１に向かって先細りとなることで、被包装物の押出し方向が一定となり、被包装物が飛び散ることがなく、液だれの発生も抑制することができるのである。
この液体注出通路８は、基端辺７側側端が三角形状に窪んだ形状からなる瓶口形ヒートシール刃を用いることにより形成することができる。ところで、ヒートシール目の形状としては、ベタシール、三線シール、布目シールなどを用いることができ、とくにシールの確実性と安全性の点から、ベタシール、三線シールを用いることが好ましい。
【００１８】
そして、本発明の液体包装袋５では、下側横シール部９の形成前もしくは形成後に、上側横シール部６上端を始端として、注出通路８に向かって引裂き誘導疵１０を形成し、この引裂き誘導疵１０を境界として、上側横シール部６を両手指で把持し、テコの力を利用して引裂き誘導疵１０に沿って手指で容易に引裂いて開封することにより液体注出口１１を形成する。そのため、上側横シール部６の縦長さ、すなわち幅は、手指で把持できる寸法、好ましくは20mm以上とする。
なお、引裂き誘導疵１０は、図３に示すような曲線状の他、図７に示すように直線状に設けてもよい。
【００１９】
このように、本発明は、注出口１１を包装袋５の基端辺７側に設けることを特徴の一つとするものであり、包装袋５の基端辺７側は、圧力を加えなくても、積層フィルム１の、折り返し前の状態に復元しようとする力により、常にストロー状（楕円状）に開口された状態にあり、さらに注出通路８が注出口に向かって次第に狭幅となっているため、被包装物が収納スペース１２の押圧によって注出通路８に沿って、一定方向に滑らかに注出することができるようになり、したがって、従来のように液体注出時に被包装物が飛散し、手指や衣類を汚すことがない。
【００２０】
さらに、本発明の液体包装袋５は、被包装物がその表面張力の働きにより、包装袋５の傾倒によっても注出通路８から漏れ出すことがなく、また、注出量を、収納スペース１２の指圧コントロールによって調整することができる。
【００２１】
また、従来のように被包装物が縦シール部を超えて注出されるのではなく、注出口先端１１ａから直接、注出されるため、被包装物が縦シール部を伝わることによる液だれの発生がない。
【００２２】
さらに、包装袋５の引裂き誘導疵１０は、包装袋５の上側横シール部６だけに設けられ、その始端と上側横シール部６上端との間に0.3〜1.0mmのクリアランスを有する一方、注出通路８から離隔させて形成されているため、包装袋５の取り扱い中に、それが破断して被包装物が不測に漏れ出すおそれがない。
【００２３】
なお、引裂き誘導疵の始端１０ａと、上側横シール部６上端との間には、0.3〜1.0mmのクリアランスを設けることにより、包装袋５が移動、梱包、輸送などの取り扱い中、とくに連続包装袋をミシン目を介して１袋づつ、もしくは所要の数袋毎に切り離す際に、誘導疵１０が不測に破断し、被包装物が漏れ出すのを防ぐことができる。
なお、クリアランスが0.3mmより小さい場合には、上記効果が期待できず、一方、1.0mmよりも大きい場合には、引裂き誘導疵始端１０ａにおいて包装袋５が切り取れず、手指により開封することができない。
【００２４】
また、図４のような連続包装袋の状態においても、引裂き誘導疵１０の始端が、上側横シール部６上端の中程に位置しているため、自動充填包装中に引裂き誘導疵１０の始端１０ａがロール等に引っ掛かり、誘導疵１０が破断してしまうようなことがない。
さらに、縦シール部より横一直線に形成した従来の誘導疵よりも、折れ曲がり難く、移動中にちぎれてしまうようなこともない。
【００２５】
なお、引裂き誘導疵１０は、積層フィルムの幅方向へ−（マイナス）状に延在させて設けた一本の疵、ミシン目状に穿設した複数の疵、その幅方向に間隔をおいて設けた複数の小孔状の疵、あるいはレーザ光線等をもって連続的もしくは間欠的に設けた溶融痕などの、適宜の形状および数の疵にて形成することができ、このような引裂き誘導疵の、深さ、積層フィルムの幅方向での長さ、その他の寸法は、積層フィルムの厚さ、積層フィルムの構成材料などに応じて選択する。
【００２６】
本発明では、引裂き誘導疵１０による引裂きによって形成される液体注出口１１の、ほぼ幅方向での寸法は、0.3〜50mmの範囲とすることが好ましく、この寸法は、被包装物の種類や粘性等によって適宜決定する。
ここにおける「ほぼ幅方向」とは、本発明において包装袋に形成する引裂き誘導疵を、上向きに傾斜して形成する場合を考慮したものである。なお、注出口１１を0.3〜50mmに限定する理由は、0.3mmより小さい場合には、注出量が少なすぎてしまい、50mmを超えると包装袋が傾倒等した際に、被包装物の表面張力以上の力が働くことになって、注出口１１から被包装物が漏れ出したり、指圧のコントロールによる注出量の調整ができなくなってしまうためである。
【００２７】
さらに、引裂き誘導疵の終端１０ｂと、液体注出通路８とのクリアランスは、0.3〜5.0mmにすることが好ましく、これは、クリアランスが0.3mmより小さい場合、包装袋５が移動、梱包、輸送などの取り扱い中に、それ自身の落下衝撃や積み重ね荷重などを受けたりすることによって誘導疵１０が不測に破断し、被包装物が漏れ出すおそれがあり、一方、クリアランスが5.0mmよりも大きい場合には、引裂き誘導疵終端１０ｂにおいて包装袋５が切り取れず、手指による開封ができない。
【００２８】
とくに、図３のように引裂き誘導疵１０が曲線状の場合では、上記引裂き誘導疵１０を引裂いて開封することにより開口される注出口１１が、液体包装袋５の幅方向に対して水平に（図５(a)）、もしくは、終端に向かって上向きに湾曲する（図５(b)）ように設けられため、注出口１１を、液体包装袋５の幅方向に対して水平もしくは上向きに湾曲させて形成すると、被包装物の液引きが良く、とくに上向きに湾曲している場合（図５（ｂ））には、注出口先端１１ａが細く（鋭く）なるため、別の容器に移し替える場合等にこぼれ難いという効果が期待できる。
【００２９】
削除
【００３０】
さらに、本発明においては、図６に示すように、引裂き誘導疵始端１０ａを隔てた位置に、突部１３（図６（ａ））または、ローレットシール部１４（図６（ｂ））を対にして設けることが好ましい。この突部１３またはローレットシール部１４は、包装袋５を、引裂き誘導疵１０を境界として、上側横シール部６を両手指で把持し、テコの力を利用して引裂き誘導疵始端１０ａから手指で引裂き開封する際に、手指が滑ることを防止するという効果と共に、引裂き誘導疵始端１０ａを、触覚をもって検知することが可能となり、たとえ目が不自由な人でもその位置を、簡易迅速に見つけ出すことができるという効果がある。
【００３１】
したがって、突部１３またはローレットシール部１４は、上側横シール部６上の、両手指で把持する位置、即ち、引裂き誘導疵始端１０ａ付近を境界として、その両側に対で設ける必要がある。なお、突部１３は、引裂き誘導疵１０の両側に複数対形成してもよく、また、ローレットシール部１４のそれぞれの大きさは、少なくとも手指で把持できる大きさ、例えば１０mm（上側横シール部長さ方向）×５mm（上側横シール部幅方向）程度であればよい。
【００３２】
突部１３は、円形、三角形、四角形、多角形など様々な形状とすることができる。この突部１３の形成方法は、上側横シール部６を形成するための、横ヒートシールロールの一方のヒートシール刃表面に、そのフィルム幅方向に間隔をおいて位置する二個一対の、上記形状からなる凹部を、また他方のヒートシール刃に、それらの凹部と対応して位置するそれぞれの凸部を設けることにより、両ヒートシール刃間を通過した包装用フィルムに、上側横シール部６の形成と同時に、突部１３を形成することによる。
同様に、ローレットシール部１４も、上記一対の横ヒートシール刃のそれぞれの表面に、ローレット状の粗面を形成しておくことで、特別な工程を付加することなしに形成することができる。
【産業上の利用可能性】
【００３３】
この発明に係る液体包装袋は、醤油、ソース、各種の調味料類、スープ類、果汁類、その他の粉粒状物を含むことのある液状ないし粘体状の飲食物、洗剤、医薬品等を包装するのに用いられる包装袋として使用することができる。
【図面の簡単な説明】
【００３４】
【図１】従来の液体包装袋を示す平面図である。
【図２】本発明の液体包装袋を構成する積層フィルムの一例を示す概略断面図である。
【図３】本発明の液体包装袋の一の実施形態を示す平面図である。
【図４】本発明の液体包装袋の引裂き誘導疵の形成方法を示す平面図である。
【図５】本発明の液体包装袋の連続包装状態を示す平面図である。
【図６】本発明の液体包装袋に（ａ）突部、（ｂ）ローレットシール部を形成した場合の実施例を示す平面図である。
【図７】本発明の液体包装袋の他の実施形態を示す平面図である。
【符号の説明】
【００３５】
１  積層フィルム
２  ベースフィルム層
３  シーラント層
４  中間層
５、２０  液体包装袋
６  上側横シール
７  基端辺
８、２４  液体注出通路
９  下側横シール
１０  引裂き誘導疵
１０ａ  引裂き誘導疵始端
１０ｂ  引裂き誘導疵終端
１１  注出口
１１ａ  注出口先端
１２、２３  収納スペース
１３  突部
１４  ローレットシール部
２１  縦シール部分
２２  Iノッチ
２５  横シール部分
【図１】
0004246760.tif 000002
【図２】
0004246760.tif 000003
【図３】
0004246760.tif 000004
【図４】
0004246760.tif 000005
【図５】
0004246760.tif 000006
【図６】
0004246760.tif 000007
【図７】
0004246760.tif 000008